(57)【要約】【課題】  画像内の一部分が特定された携帯端末による撮像画像を受信することで、その一部分の画像が特定する頁画像を携帯端末に提供し得る画像提供システムを提供する。【解決手段】  表示部に表示された画像を撮像する撮像部、画像内の一部分を特定する特定部、特定された一部分を含む、撮像部の撮像による撮像画像を送信する第１送信部、を具備する携帯電話１００と、頁画像と該頁画像の保存先を頁画像ごとに記憶するコンテンツＤＢ４００から、送信された撮像画像のうち、特定部によって特定された一部分に応じた頁画像の保存先を取得する第１取得部、取得された頁画像の保存先を送信する第２送信部を具備するリンク特定装置２００と、送信された頁画像の保存先を受信する第１受信部、受信された頁画像の保存先に保存された頁画像を取得する第２取得部、頁画像を携帯端末に送信する第３送信部を具備する画像提供装置３００と、を有することを特徴とする。【選択図】  図１
2010081045.tif 000002
【特許請求の範囲】
【請求項１】
表示部に表示された画像を撮像する撮像部、画像内の一部分を特定する特定部、前記特定部によって特定された一部分を含む、前記撮像部の撮像による撮像画像を送信する第１送信部、を具備する携帯端末と、
頁画像と該頁画像の保存先を頁画像ごとに記憶する記憶装置から、前記第１送信部によって送信された撮像画像のうち、前記特定部によって特定された一部分に応じた頁画像の保存先を取得する第１取得部、前記第１取得部によって取得された頁画像の保存先を送信する第２送信部を具備する第１制御装置と、
前記第２送信部によって送信された頁画像の保存先を受信する第１受信部、前記第１受信部によって受信された頁画像の保存先に保存された頁画像を取得する第２取得部、前記頁画像を前記携帯端末に送信する第３送信部を具備する第２制御装置と、
を有することを特徴とする画像提供システム。
【請求項２】
前記携帯端末は、前記第２制御装置の第３送信部によって送信された頁画像を受信する第２受信部を含み、
前記携帯端末の第２受信部によって受信された頁画像を表示媒体に印刷する印刷装置をさらに含むことを特徴とする請求項１に記載の画像提供システム。
【請求項３】
前記第２制御装置は、頁画像と該頁画像の保存先を前記記憶装置に保存する保存部をさらに含み、
前記携帯端末の第１送信部は、頁画像の保存先を前記第２制御装置に送信し、
前記第２制御装置の第２取得部は、前記頁画像の保存先に保存された頁画像を取得し、
前記第２制御装置の保存部は、第２取得部によって取得された頁画像と該頁画像の保存先を前記記憶装置に保存していくことを特徴とする請求項１又は２に記載の画像提供システム。
【請求項４】
前記第１制御装置の第１取得部は、前記携帯端末の特定部によって特定された一部分と、前記記憶装置に記憶された頁画像と、の画像特徴量の比較により、該一部分に応じた頁画像の保存先を取得することを特徴とする請求項１から３のいずれか１項に記載の画像提供システム。
【請求項５】
前記第１制御装置の前記第１取得部は、前記比較の結果、整合率が最大となる頁画像の保存先を取得することを特徴とする請求項４に記載の画像提供システム。
【請求項６】
頁画像と該頁画像の保存先を頁画像ごとに記憶する記憶装置から、携帯端末の送信部によって送信された撮像画像のうち、その一部分を特定する特定部によって特定された一部分に応じた頁画像の保存先を取得する取得部、
を具備することを特徴とする画像保存先取得装置。
【請求項７】
コンピュータを、
頁画像と該頁画像の保存先を頁画像ごとに記憶する記憶装置から、携帯端末の送信部によって送信された撮像画像のうち、その一部分を特定する特定部によって特定された一部分に応じた頁画像の保存先を取得する取得部、
として機能させることを特徴とする画像保存先取得プログラム。
【発明の詳細な説明】
【技術分野】
【０００１】
本発明は、画像提供システム、画像保存先取得装置及び画像保存先取得プログラムに関し、特に、表示媒体に表示させる画像を携帯端末を通じて提供する画像提供システム、画像保存先取得装置及び画像保存先取得プログラムに関する。
【背景技術】
【０００２】
携帯端末が保持する画像をプリンタに送信し、この画像を受信したプリンタが電子ペーパ等の表示媒体に印刷する技術が知られている。
【０００３】
また、Ｗｅｂページを印刷した印刷物を読み取り、その印刷物上のＵＲＬを認識し、そのＵＲＬによって指定されたＷｅｂページの画像データを生成して出力するとともに、そのＷｅｂページ内で特定（リンク）されている他のＷｅｂページについても画像データを生成し、出力する画像形成装置も知られている（例えば、特許文献１参照）。
【０００４】
さらに、Ｗｅｂページのリンク先の場所を示すリンク先情報を生成して画像化し、その画像化したリンク先情報からリンク先の場所に簡単にアクセスすることができる情報処理装置も知られている（例えば、特許文献２参照）。
【０００５】
【特許文献１】特開２００６−２２１２２８号公報
【特許文献２】特開２００６−２４３９１９号公報
【発明の開示】
【発明が解決しようとする課題】
【０００６】
本発明は、画像内の一部分が特定された携帯端末による撮像画像を受信することで、その一部分の画像が特定する頁画像を携帯端末に提供し得る画像提供システム、画像保存先取得装置及び画像保存先取得プログラムを提供することを目的とする。
【課題を解決するための手段】
【０００７】
請求項１に記載の発明は、表示部に表示された画像を撮像する撮像部、画像内の一部分を特定する特定部、特定部によって特定された一部分を含む、撮像部の撮像による撮像画像を送信する第１送信部、を具備する携帯端末と、頁画像と該頁画像の保存先を頁画像ごとに記憶する記憶装置から、第１送信部によって送信された撮像画像のうち、特定部によって特定された一部分に応じた頁画像の保存先を取得する第１取得部、第１取得部によって取得された頁画像の保存先を送信する第２送信部を具備する第１制御装置と、第２送信部によって送信された頁画像の保存先を受信する第１受信部、第１受信部によって受信された頁画像の保存先に保存された頁画像を取得する第２取得部、頁画像を携帯端末に送信する第３送信部を具備する第２制御装置と、を有することを特徴とする画像提供システムである。
【０００８】
請求項２に記載の発明は、請求項１に記載の発明において、携帯端末は、第２制御装置の第３送信部によって送信された頁画像を受信する第２受信部を含み、携帯端末の第２受信部によって受信された頁画像を表示媒体に印刷する印刷装置をさらに含むことを特徴としている。
【０００９】
請求項３に記載の発明は、請求項１又は２に記載の発明において、第２制御装置は、頁画像と該頁画像の保存先を記憶装置に保存する保存部をさらに含み、携帯端末の第１送信部は、頁画像の保存先を第２制御装置に送信し、第２制御装置の第２取得部は、頁画像の保存先に保存された頁画像を取得し、第２制御装置の保存部は、第２取得部によって取得された頁画像と該頁画像の保存先を記憶装置に保存していくことを特徴としている。
【００１０】
請求項４に記載の発明は、請求項１から３のいずれか１項に記載の発明において、第１制御装置の第１取得部は、携帯端末の特定部によって特定された一部分と、記憶装置に記憶された頁画像と、の画像特徴量の比較により、該一部分に応じた頁画像の保存先を取得することを特徴としている。
【００１１】
請求項５に記載の発明は、請求項４に記載の発明において、第１制御装置の第１取得部は、比較の結果、整合率が最大となる頁画像の保存先を取得することを特徴としている。
【００１２】
請求項６に記載の発明は、頁画像と該頁画像の保存先を頁画像ごとに記憶する記憶装置から、携帯端末の送信部によって送信された撮像画像のうち、その一部分を特定する特定部によって特定された一部分に応じた頁画像の保存先を取得する取得部、を具備することを特徴とする画像保存先取得装置である。
【００１３】
請求項７に記載の発明は、コンピュータを、頁画像と該頁画像の保存先を頁画像ごとに記憶する記憶装置から、携帯端末の送信部によって送信された撮像画像のうち、その一部分を特定する特定部によって特定された一部分に応じた頁画像の保存先を取得する取得部、として機能させることを特徴とする画像保存先取得プログラムである。
【発明の効果】
【００１４】
請求項１に記載の発明によれば、一部分が特定された携帯端末による撮像画像を受信すれば、その一部分の画像が特定する頁画像を携帯端末に提供できる。
【００１５】
請求項２に記載の発明によれば、提供された頁画像を表示媒体に印刷できる。
【００１６】
請求項３に記載の発明によれば、携帯端末から送信された頁画像の保存先を受信すれば、その保存先に対応する頁画像の記憶装置に保存できる。
【００１７】
請求項４に記載の発明によれば、携帯端末の特定部によって特定された一部分と、記憶装置に記憶された頁画像と、の画像特徴量の比較により、一部分に応じた頁画像の保存先を取得することができる。
【００１８】
請求項５に記載の発明によれば、比較結果の整合率が最大となった頁画像の保存先が取得される。
【００１９】
請求項６に記載の発明によれば、一部分が特定された携帯端末による撮像画像を受信すれば、その一部分の画像が特定する頁画像を携帯端末に提供できる。
【００２０】
請求項７に記載の発明によれば、一部分が特定された携帯端末による撮像画像を受信すれば、その一部分の画像が特定する頁画像を携帯端末に提供できる。
【発明を実施するための最良の形態】
【００２１】
以下、本発明の実施形態について図面を参照して説明する。
【００２２】
（第１実施形態）
図１は、本発明の実施形態に係る画像提供システムの構成図である。
【００２３】
画像提供システムは、図１に示すように、携帯端末としての携帯電話１００、第１制御装置又は画像保存先取得装置としてのリンク特定装置２００、及び、第２制御装置としての画像提供装置３００を含んで構成される。
【００２４】
図１によれば、携帯電話１００は電子ペーパ５００に表示された、画像化されたＷｅｂページ（以下、ページ画像という。）の中で、その一部を構成する「サムネイル画像Ｂ」に照準を合わせて撮像している。撮像された撮像画像は、画像提供装置３００に送信される。以下に、各装置の詳細な構成について説明する。
【００２５】
まず、携帯電話１００の詳細について図２を参照して説明する。
【００２６】
図２は、携帯電話１００の要部構成を例示するブロック図である。
【００２７】
携帯電話１００は、同図に示すように、撮像部１０１、表示部１０２、画像特定部１０３、送信部１０４、受信部１０５等を含んで構成される。
【００２８】
撮像部１０１は、例えばＣＣＤカメラ等で構成される。撮像部１０１は、操作に応じて、撮像領域内を撮像する。撮像対象は、例えば、電子ペーパ５００に表示された画像等がある。電子ペーパ５００は光書込型や電気書込型等が望ましいが、特に限定されない。
【００２９】
表示部１０２は、例えば液晶ディスプレイ等で構成される。表示部１０２は、撮像部１０１による撮像領域内を表示する。
【００３０】
画像特定部１０３は、表示部１０２に表示された画像内の一部分を特定する。より詳しくは、表示された画像内に含まれる、保存先（以下、リンク先という。）が指定された画像（例えばサムネイル画像や文字列、ＵＲＬ等）を特定する。この特定は、例えば、表示部１０２の中央に画像内の一部分を特定するための部分特定用画像を表示させ、撮像部１０１が操作に応じて撮像したときに、表示部１０２に表示された画像内のうち、部分特定用画像によって特定された一部分を特定する。
【００３１】
送信部１０４は、画像特定部１０３によって特定された一部分を含む、撮像部１０１の撮像による撮像画像を画像提供装置３００に送信する。この際、撮像画像に併せて、携帯端末１００の利用者の利用者識別情報（以下、ユーザＩＤという。）、入力された、又は、撮像されたＵＲＬ、ページ番号等も送信する。送信は、ＩｒＤＡ（Infrared Data Association）等の赤外線通信や電子メールによって行われる。
【００３２】
受信部１０５は、画像提供装置３００からのページ画像を受信する。このページ画像は、携帯電話１００の撮像対象となった画像である。例えば、上述したように、携帯電話１００が「サムネイル画像Ｂ」を撮像対象として撮像した場合、受信部１０５は、その「サムネイル画像Ｂ」の生成元となった画像「画像Ｂ」を受信する。携帯電話１００は、このページ画像を利用して、さらに、まだ画像が表示されていない電子ペーパ５００に印刷させるようにしてもよい。
【００３３】
次に、リンク特定装置２００の詳細について図３を参照して説明する。
【００３４】
図３は、リンク特定装置２００の要部構成を例示するブロック図である。
【００３５】
リンク特定装置２００は、同図に示すように、保存先取得部（以下、リンク先取得部という。）２０１、保存先送信部（以下、リンク先送信部という。）２０２等を含んで構成される。
【００３６】
リンク先取得部２０１は、ページ画像と該ページ画像のリンク先をページ画像ごとに記憶する記憶装置（以下、コンテンツＤＢという。）４００から、携帯端末１００の送信部１０４によって送信され、画像提供装置３００を介した撮像画像のうち、画像特定部１０３によって特定された一部分に相当するページ画像を特定し、そのページ画像のリンク先を取得する。撮像画像の一部分に相当するページ画像の特定は、例えば、撮像画像の一部分と、コンテンツＤＤ４００に記憶された各ページ画像とを画像特徴量により比較していき、整合率が最大となるページ画像が、撮像画像の一部分に相当するページ画像であると特定すればよい。予め閾値を設定しておき、その閾値との比較により特定するようにしてもよい。画像特徴量の比較には例えばパターンマッチング等がある。
【００３７】
リンク先送信部２０２は、リンク先取得部２０１によって取得されたページ画像のリンク先を画像提供装置３００に送信する。
【００３８】
次に、画像提供装置３００の詳細について図４を参照して説明する。
【００３９】
図４は、画像提供装置３００の要部構成を例示するブロック図である。
【００４０】
画像提供装置３００は、同図に示すように、保存先受信部（以下、リンク先受信部３０１、Ｗｅｂページ取得部３０２、撮像画像受信部３０３、撮像画像送信部３０４、Ｗｅｂページ保存部３０５等を含んで構成される。
【００４１】
リンク先受信部３０１は、リンク先送信部２０２によって送信されたページ画像のリンク先を受信する。
【００４２】
Ｗｅｂページ取得部３０２は、リンク先受信部３０１がリンク先を受信すると、そのリンク先に応じたＷｅｂページをインターネット上から取得する。そして、取得したＷｅｂページを画像化してページ画像を生成する。Ｗｅｂページ取得部３０２は、生成したページ画像を携帯電話に送信する。尚、コンテンツＤＢ４００からリンク先に応じたＷｅｂページを取得するようにしてもよい。
【００４３】
撮像画像受信部３０３は、携帯電話１００から送信された撮像画像、ユーザＩＤ、ＵＲＬ及びページ番号を受信する。撮像画像は、撮像送信部３０４に送信される。撮像画像受信部３０３は、ＵＲＬを受信した場合、そのＵＲＬに基づくＷｅｂページ等を取得すべく、コンテンツＤＢ４００やインターネット上を検索する。そして、取得したＷｅｂページをＷｅｂページ保存部３０５に送信したり、携帯電話１００に送信したりする。特に、携帯電話１００に送信する場合には、最初のＷｅｂページに係る頁画像を送信することが望ましい。
【００４４】
撮像画像送信部３０４は、撮像画像受信部３０３から送信された撮像画像を受信し、この撮像画像をリンク特定装置２００に送信する。
【００４５】
Ｗｅｂページ保存部３０５は、撮像画像受信部３０３から送信されたＷｅｂページを画像化し、画像化されたＷｅｂページをユーザＩＤと関連付けてコンテンツＤＢ４００に保存する。また、その際、Ｗｅｂページに含まれる画像や文字列等と、これらの画像や文字列によって特定されたリンク先のＵＲＬも併せて保存する。Ｗｅｂページを自己にファイル化して保存してもよい。
【００４６】
図５は、リンク特定装置２００等のハードウェア構成を例示するブロック図である。
【００４７】
リンク特定装置２００は、図５に示すように、ＣＰＵ２００ａ、ＳＲＡＭ(Static Random Access Memory)、ＤＲＡＭ(Dynamic RAM)やＳＤＲＡＭ（Synchronous DRAM）、ＮＶＲＡＭ（Non Volatile RAM）等のＲＡＭ２００ｂ、フラッシュメモリ等のＲＯＭ(Read Only Memory)２００ｃ及び入出力を制御するＩ／Ｏインタフェース２００ｄやＬＡＮインタフェース２００ｅ等がバス２００ｆにより接続されたハードウェア構成により実現される。
【００４８】
したがって、ＣＰＵ２００ａがＲＡＭ２００ｂやＲＯＭ２００ｃ等の記憶装置に格納された所要のプログラムを読み込み、当該プログラムに従った演算を行うことにより、上述したリンク特定装置２００の各機能が実現される。画像提供装置３００やコンテンツＤＢ４００ついても概ね同様の構成である。尚、このようなプログラムとしては後述するフローチャートに応じたプログラムとすることができる。また、同図に示すように、必要に応じて、バス２００ｆにＨＤＤ（ハードディスクドライブ）２００ｇ、ＣＤ−ＲＯＭドライブ２００ｈ、ＦＤドライブ２００ｉ、モデム２００ｊを接続するようにしてもよい。
【００４９】
続いて、画像提供システムの動作について説明する。
【００５０】
まず、携帯電話１００の動作について図６及び図７を参照して説明する。
【００５１】
図６は、携帯電話１００の動作の一例を示すフローチャート、図７は、電子ペーパ５００に向けられた携帯電話１００の拡大図である。
【００５２】
携帯電話１００の撮像部１０１は、まず、図５に示すように、自身を起動するための操作がなされたか否かを判定する（ステップＳ１）。この判定処理は、例えば、携帯電話１００を構成する種々のボタンが押下されたか否かによって行えばよい。
【００５３】
携帯電話１００の表示部１０２は、ステップＳ１の処理において、撮像部１０１の起動に係る操作があったと判定した場合には、撮像部１０１の撮像領域内と部分特定用画像とを表示する（ステップＳ２）。具体的には、図７に示すように、表示部１０２は、撮像部１０１によって撮像される撮像画像と、撮像部分を特定するための部分特定用画像１０２ａとを表示する。図７によれば、この携帯電話１００の撮像部１０１は、電子ペーパ５００に向けられている。そして、電子ペーパ５００に表示された画像の一部分である「サムネイル画像Ｂ」が、部分特定用画像１０２ａによって、特定されようとしている。
【００５４】
携帯電話の撮像部１０１は、ここで、撮像スイッチがＯＮされか否かを判定する（ステップＳ３）。この判定処理は、シャッターに関するボタンが押下されたか否かによって判定すればよい。
【００５５】
携帯電話の撮像部１０１は、ステップＳ３の処理において、撮像スイッチがＯＮされたと判定した場合には、送信部１０４が部分特定用画像１０２ａにより特定された部分を含む撮像画像等を画像提供装置３００に送信する（ステップＳ４）。より詳細には、携帯電話の特定部１０３が部分特定用画像１０２ａにより特定された部分の位置情報を特定し、撮像部１０４がユーザＩＤ、ＵＲＬ、ページ番号及び表示部１０２に表示された画像を位置情報と共に撮像画像として画像提供装置３００に送信する。
【００５６】
次に、画像提供装置３００の動作について図８を参照して説明する。
【００５７】
図８は、画像提供装置３００の動作の一例を示すフローチャートである。より詳しくは、撮像画像のリンク特定装置２００への送信処理を示すフローチャートである。尚、Ｗｅｂページの取得処理は後述する。
【００５８】
画像提供装置３００の撮像画像受信部３０３は、携帯電話１００からの撮像画像等を受信したか否かを判定する（ステップＳ２１）。そして、撮像画像受信部３０３は、撮像画像等を受信したと判定した場合には、撮像画像以外を自己に保持すると共に、撮像画像送信部３０２が撮像画像をリンク特定装置２００に送信する（ステップＳ２２）。
【００５９】
尚、画像提供装置３００の撮像画像受信部３０３が撮像画像を含まない、ユーザＩＤ、ＵＲＬ、ページ番号を受信した場合には、そのＵＲＬよって指定されたコンピュータに接続し、そのコンピュータが保持するＷｅｂページを取得する。そして、Ｗｅｂページ保存部３０５は、撮像画像受信部３０３によって取得されたＷｅｂページを画像化し、画像化されたＷｅｂページをユーザＩＤと関連付けてコンテンツＤＢ４００に保存する。その際、そのＷｅｂページに含まれる画像や文字列のうち、リンク先が付与されている画像等については、画像等とこれらの画像等に付与されたリンク先のＵＲＬも併せて保存する。
【００６０】
次に、リンク特定装置２００の動作について図９及び図１０を参照して説明する。
【００６１】
図９は、リンク特定装置２００の動作の一例を示すフローチャート、図１０は、コンテンツＤＢ４００に記憶されたデータ構造の一例である。
【００６２】
リンク特定装置２００のリンク先取得部２０１は、画像提供装置３００から撮像画像を受信したか否かを判定し（ステップＳ３１）、撮像画像を受信したと判定した場合には、撮像画像内であって、部分特定用画像１０２ａにより特定された画像に基づいて、コンテンツＤＢ４００を検索する（ステップＳ３２）。
【００６３】
例えば、上述したように、撮像画像内の一部分である「サムネイル画像Ｂ」が部分特定用画像１０２ａによって特定され、この撮像画像が画像提供装置３００からリンク特定装置２００に送信された場合、特定された「サムネイル画像Ｂ」を主とする画像としてコンテンツＤＢ４００を検索する。
【００６４】
リンク特定装置２００のリンク先取得部２０１は、ここで、整合したページ画像があるか否かを判定する（ステップＳ３３）。尚、この整合は、完全一致である必要はない。例えば、整合率が予め設定された閾値以上であれば、整合したと判定してもよい。整合率が最大となるページ画像があれば、整合したと判定してもよい。整合は、部分特定用画像１０２ａによって特定された部分と、コンテンツＤＢ４００に記憶された各ページ画像と、の画像特徴量の比較により行えばよい。例えば、既知のパターンマッチング技術を利用すればよい。
【００６５】
ここで、コンテンツＤＢ４００には、図９に示すように、ページ画像とそのページ画像のリンク先のＵＲＬがページ画像ごとに記憶されている。したがって、部分特定用画像１０２ａによって特定された「サムネイル画像Ｂ」は、これらのページ画像と整合するか否か判定する。そして、「サムネイル画像Ｂ」の生成元が「画像Ｂ」であるとした場合、「画像Ｂ」が「サムネイル画像Ｂ」と整合する可能性が高い。尚、文字列「ここをクリック！」が部分特定用画像１０２ａによって特定された場合、コンテンツＤＢ４００のページ画像「ここをクリック！」と整合する可能性が高い。この際、文字認識の技術を利用してもよい。
【００６６】
リンク特定装置２００のリンク先取得部２０１は、ステップＳ３３の処理において、整合したページ画像があったと判定した場合、整合したページ画像のリンク先を取得する（ステップＳ３４）。例えば、「サムネイル画像Ｂ」に対して、「画像Ｂ」が整合した場合、その「画像Ｂ」に関連付けられたリンク先のＵＲＬが取得される。
【００６７】
リンク特定装置２００のリンク先送信部２０２は、リンク先取得部２０１がリンク先を取得すると、このリンク先を取得し、画像提供装置３００に送信する（ステップＳ３５）。
【００６８】
再度、画像提供装置３００の動作について図１１を参照して説明する。
【００６９】
図１１は、画像提供装置３００の他の動作の一例を示すフローチャートである。より詳しくは、リンク先に応じたＷｅｂページの取得処理を示すフローチャートである。
【００７０】
画像提供装置３００のリンク先受信部３０１は、まず、リンク特定装置２００からＷｅｂページのリンク先を受信したか否かを判定し（ステップＳ４１）、リンク先を受信したと判定した場合には、Ｗｅｂページ取得部３０２が、取得したリンク先に基づき、そのリンク先に保存されたＷｅｂページを取得する（ステップＳ４２）。この取得先は、コンテンツＤＢ４００であってもよいし、インターネット上の他のコンピュータ装置であってもよい。
【００７１】
画像提供装置３００のＷｅｂページ取得部３０２は、ステップＳ４２の処理において、リンク先に応じたＷｅｂページを取得すると、そのＷｅｂページを画像化する（ステップＳ４３）。画像化の形式は、ＪＰＥＧ、ＢＭＰ、ＴＩＦＦ等、既知の形式であれば特に限定されない。
【００７２】
画像提供装置３００のＷｅｂページ取得部３０２は、次いで、画像化したＷｅｂページを携帯電話１００に送信する（ステップＳ４４）。この送信も、赤外線通信や電子メール等により行えばよい。この結果、携帯電話１００は、部分特定用画像１０２ａによって特定された画像のページ画像を受信する。この画像は、携帯電話１００自身が保持してもよいし、例えば、電子ペーパ用プリンタを通じて電子ペーパ５００に表示させるようにしてもよい。
【００７３】
（第２実施形態）
続いて、本発明の第２実施形態について図１２及び図１３を参照して説明する。
【００７４】
図１２は、本実施形態に係る画像提供システムの他の構成図、図１３は、電子ペーパ用プリンタ６００の動作の一例を示すフローチャートである。
【００７５】
本実施形態に係る画像提供システムは、図１１（ａ）に示すように、上述した画像提供システムにさらに電子ペーパ用プリンタ６００を含む点で相違する。
【００７６】
電子ペーパ用プリンタ６００は、図１２に示すように、例えば携帯電話１００からページ画像を受信したか否かを判定し（ステップＳ５１）、受信したと判定すると、その画像を電子ペーパ５００に印刷する（ステップＳ５２）。携帯電話１００との送受信は、赤外線通信等により行えばよい。
【００７７】
この結果、例えば携帯電話１００からページ画像「画像Ｂ」が送信された場合、電子ペーパ用プリンタ６００がこのページ画像「画像Ｂ」を受信し、電子ペーパ５００に印刷する。したがって、図１１（ｂ）に示すように、電子ペーパ５００には、ページ画像「画像Ｂ」が表示される。
【００７８】
このように、電子ペーパ５００に、リンク先が指定された画像等がある場合に、この画像等を部分指定用画像１０２ａで照準を合わせつつ携帯電話１００で撮像し、画像提供装置３００等に送信すれば、そのリンク先の画像を携帯電話１００が受信し、さらに、電子ペーパ用プリンタ６００を通じて電子ペーパ５００に書き込めるようになる。
【００７９】
以上、本発明の好ましい実施形態について詳述したが、本発明に係る特定の実施形態に限定されるものではなく、特許請求の範囲に記載された本発明の要旨の範囲内において、種々の変形・変更が可能である。例えば、本発明のプログラムを通信手段により提供することはもちろん、ＣＤ−ＲＯＭ等の記録媒体に格納して提供することも可能である。
【００８０】
また、上述した実施形態で説明したサムネイル画像は一例であり、画像や文字列が他の画像や文字列と相互に関連付けられていれば、サムネイル画像とそのサムネイル画像の生成元となった画像に限定されるものではない。
【００８１】
また、撮像対象を電子ペーパ５００に表示された、リンク先が指定された画像等としたが、例えば、文字列入力欄（以下、テキストボックスという。）であってもよい。撮像対象がテキストボックスである場合には、テキストボックスを撮像した後、携帯電話１００がテキスト入力モードに変更され、入力された文字列（テキスト）を携帯電話１００に保存しておく。そして、再度、そのテキストボックスが撮像された場合、そのテキストをテキストボックスに反映させた状態で画像提供装置３００に送信させる。これにより、画像提供装置３００は、そのテキストボックスに入力されたテキストの検索結果に応じたページ画像を携帯電話１００に送信する。
【００８２】
また、携帯電話１００から送信されるユーザＩＤ、ＵＲＬ及びページ番号等を携帯電話１００に蓄積された印刷履歴から取得するようにしてもよい。また、ユーザＩＤ等をＱＲコード等の二次元符号により、印刷物の余白に印刷するようにしてもよい。さらに、携帯電話１００から送信する情報にメディアＩＤ（電子ペーパを識別するための識別情報）を含めてもよい。また、リンク特定装置２００と画像提供装置３００とは、一体的な構成とするようにしてもよい。
【図面の簡単な説明】
【００８３】
【図１】画像提供システムの構成図である。
【図２】携帯電話の要部構成を例示するブロック図である。
【図３】リンク特定装置の要部構成を例示するブロック図である。
【図４】画像提供装置の要部構成を例示するブロック図である。
【図５】リンク特定装置等のハードウェア構成を例示するブロック図である。
【図６】携帯電話の動作の一例を示すフローチャートである。
【図７】電子ペーパに向けられた携帯電話の拡大図である。
【図８】画像提供装置の動作の一例を示すフローチャートである。
【図９】リンク特定装置の動作の一例を示すフローチャート
【図１０】コンテンツＤＢに記憶されたデータ構造の一例である。
【図１１】画像提供装置の他の動作の一例を示すフローチャートである。
【図１２】画像提供システムの他の構成図である。
【図１３】電子ペーパ用プリンタの動作の一例を示すフローチャートである。
【符号の説明】
【００８４】
１００  携帯電話
１０１  撮像部
１０２  表示部
１０２ａ  部分特定用画像
１０３  画像特定部
１０４  送信部
１０５  受信部
２００  リンク特定装置
２０１  リンク先取得部
２０２  リンク先送信部
３００  画像提供装置
３０１  リンク先受信部
３０２  Ｗｅｂページ取得部
３０３  撮像画像受信部
３０４  撮像画像送信部
３０５  Ｗｅｂページ保存部
４００  コンテンツＤＢ
５００  電子ペーパ
６００  電子ペーパ用プリンタ
【図１】
2010081045.tif 000003
【図２】
2010081045.tif 000004
【図３】
2010081045.tif 000005
【図４】
2010081045.tif 000006
【図５】
2010081045.tif 000007
【図６】
2010081045.tif 000008
【図７】
2010081045.tif 000009
【図８】
2010081045.tif 000010
【図９】
2010081045.tif 000011
【図１０】
2010081045.tif 000012
【図１１】
2010081045.tif 000013
【図１２】
2010081045.tif 000014
【図１３】
2010081045.tif 000015